(57)【要約】【課題】  排水部品により、サッシ窓の下枠における雨水等の逆流を防止すると共に、同時に網戸下方に位置する下枠上の雨水等の排水を該下枠底面に設けた排水口から行うと共に該排水口からの虫の侵入を防止する。【解決手段】  室外側に網戸を備えたサッシ窓の下枠１０に、網戸下方に位置する下枠１６の底面１６ｂに設けた室外側排水口１６ｃに連通して底面１６ｂ上の水の排水を行う垂直方向に所定長さを有する防虫排水溝２６と、底面１６ｂよりも見込み方向室内側の下枠１６上の水の排水を行う逆止弁３０付き排水溝２８を有する排水部品２０を取り付ける。【選択図】    図２
2007170142.tif 000002
【特許請求の範囲】
【請求項１】
上枠、下枠、および左右の縦枠を有する窓枠と、当該窓枠内に開閉自在に支持される障子および網戸とを備えたサッシ窓であって、
前記下枠は、１本以上の障子支持用レールと、網戸支持用レールとを有し、
前記障子支持用レールよりも見込み方向室内側に浸入した水、または前記網戸支持用レールに最も近い障子支持用レールよりも見込み方向室内側に浸入した水を下枠外に排水する室内側排水口が下枠に形成され、
前記障子支持用レールよりも見込み方向室外側に浸入した水、または前記網戸支持用レールに最も近い障子支持用レールよりも見込み方向室外側に浸入した水を下枠外に排水する室外側排水口が下枠に形成され、
前記室内側排水口に、当該室内側排水口からの排水を行う逆止弁付き排水溝と、前記室外側排水口からの排水を所定距離下方に導く防虫排水溝とを備えた排水部品を装着したことを特徴とするサッシ窓。
【請求項２】
請求項１に記載されたサッシ窓において、
前記室外側排水口は、障子支持用レールまたは前記網戸支持用レールに最も近い障子支持用レールの下端部分と、網戸支持用レールの下端部分とにわたって形成された底面に設けられていることを特徴とするサッシ窓。
【請求項３】
請求項１または２に記載されたサッシ窓において、
前記排水部品は、見込み方向室外側に形成された前壁と、該前壁と平行に形成された垂下壁とを有しており、
前記防虫排水溝は、前記前壁と垂下壁間に形成されていることを特徴とするサッシ窓。
【請求項４】
請求項１ないし３のいずれかに記載されたサッシ窓において、
前記排水部品は、前記前壁と垂下壁とにわたって形成された仕切壁を有しており、
前記防虫排水溝は、前記仕切壁によって複数に分割されていることを特徴とするサッシ窓。
【請求項５】
請求項１ないし４のいずれかに記載されたサッシ窓において、
前記排水部品の逆止弁は、排水部品に揺動自在に取り付けられた止水用板状部材と該板状部材の見込み方向室外側に突条片を備えたことを特徴とするサッシ窓。
【発明の詳細な説明】
【技術分野】
【０００１】
本発明は障子及び網戸を収容するサッシ窓に関するものである。
【背景技術】
【０００２】
引き戸を収容したサッシ窓では、雨水などが引き戸の側面等をつたわって落下して下枠上面に流れ込み、流れ込んだ水は、さらに下枠上面に形成された凹部に流れ込む。この凹部に流れ込んだ雨水は、その下に設けた下枠の中空部に一旦落とし込んだ後に下枠の排水口から外部に排水している。
この下枠の排水口（孔又は穴又は切欠）は、一般に屋外に向けて形成されているが、そのままでは見栄えが悪いだけではなく、屋外からの風圧等により、雨水が下枠の排水口を通じて室内側に逆流して浸入したり、風や外気が窓枠を通して室内に流れこむなどの問題がある。
そこで、従来から排水口からの雨水の逆流や外気の流通を防止するために種々の提案がなされてきている。
例えば、屋外に開口した排水口に逆止弁を設けて、前記排水口を塞ぎ、屋内側からの排水は可能であるが、屋外からの雨水や風の侵入は阻止できるようにした下枠を有するサッシ窓が知られている（特許文献１参照）。
特許文献１に記載された屋外用サッシでは、網戸の下方に位置する下枠部分に関しては、室内側への逆流や風や外気の室内への侵入を考慮する必要がないことから、通常はその網戸の下方に位置する下枠の一部分、例えば、網戸を支持するレールの端部に切欠を設けておき、この切欠から網戸の下方に位置する下枠上に流入した雨水等の排水を行っている。
【０００３】
また、排水口に複数の排水溝を互いに独立に設けた排水キャップを装着して、排水溝をいわば小分けすることで強い突風が発生しても、各排水路から大量の水が内側窓敷居に入り込まないようにした窓枠排水装置も知られている（特許文献２参照）。
特許文献２に記載された窓枠排水装置では、内外側敷居トラックと網戸枠保持部とからなる窓サッシにおいて、外側敷居トラック及び網戸枠保持部からの水を排水する外側排水路と、内側敷居排水トラックからの水を排水する内側排水路とを備えた排水キャップ設け、これを窓枠用敷居の外側面にある排水口に取り付けることで、風による空気圧を内側排水路と外側排水路とに分けてそれぞれの排水路（又は溝）中における空気圧を低減させ、それによって例えば突風に煽られて雨水等が逆流しないようにしている。
【０００４】
しかし、特許文献１に記載された従来の下枠構造では、換気等の為に内外障子の一方を開閉して網戸を使用した場合、前述した切欠部分から虫が屋内に侵入してくるという問題がある。
更に、レールなどの切欠が目に付きやすく、外観を損ねると言う問題がある。
又、特許文献２に記載された窓枠排水装置では、網戸枠保持部からの水を排水する外側排水路を備えた排水キャップにより、網戸枠保持部に設けた排水口が外観からは見えないが、この外側排水路は外側敷居トラックからの水も排水する外側排水路であるため、その二つの箇所（網戸枠保持部、外側敷居トラック）における排水性を考慮して大きな排水路となる。
従って、特許文献１と同様に、この大きな排水路を通って虫が室内に侵入してくるという問題がある。
【特許文献１】特開２００４−２３８９６２号公報
【特許文献２】特許第３２４３６９５号公報
【発明の開示】
【発明が解決しようとする課題】
【０００５】
本発明は、上記従来の問題を解決するためになされたものであって、その目的は、下枠からの雨水などの逆流や、外気の侵入を完全に防止し、かつ各排水口が室外側から見えないようにしてその外観を向上すると共に、前記排水口からの虫の侵入を防止することである。
【課題を解決するための手段】
【０００６】
本願発明は、上枠、下枠、および左右の縦枠を有する窓枠と、当該窓枠内に開閉自在に支持される障子および網戸とを備えたサッシ窓において、前記下枠は、１本以上の障子支持用レールと、網戸支持用レールとを有し、前記障子支持用レールよりも見込み方向室内側に浸入した水、または前記網戸支持用レールに最も近い障子支持用レールよりも見込み方向室内側に浸入した水を下枠外に排水する室内側排水口が下枠に形成され、前記障子支持用レールよりも見込み方向室外側に浸入した水、または前記網戸支持用レールに最も近い障子支持用レールよりも見込み方向室外側に浸入した水を下枠外に排水する室外側排水口が下枠に形成され、前記室内側排水口に、当該室内側排水口からの排水を行う逆止弁付き排水溝と、前記室外側排水口からの排水を所定距離下方に導く防虫排水溝とを備えた排水部品を装着したことを特徴とする。
この排水部品は、網戸下方の下枠上に流入した雨水の排水を行う所定長さの垂直な排水溝と、他の下枠部分の排水を行う逆止弁付き排水溝とを備えているので、一つの部材で雨水等の逆流防止や排水口のカバーや虫の侵入防止などの多様な機能を実現できる。
【発明の効果】
【０００７】
本願発明によれば、単に下枠の排水口に前記排水部品を取り付けるだけで、前記下枠からの排水を行いつつ、風による雨水等の逆流や外気の侵入を完全に防止することができる。また、前記排水部品により各排水口が外側から見えないようにしているから、外観を損ねることなく排水が行える。また、網戸下方の下枠上に流入した雨水を排水する排水経路（網戸排水溝）と、その他の下枠上に流入した雨水を排水する排水経路（逆止弁付き排水溝）とを別々に排水部品内に設けた為、網戸排水溝の形状を網戸下方の下枠上に流入した雨水を排水するだけの大きさに設定することができる。つまり、この網戸排水溝を適宜小さくすることができるとともに、この排水溝が所定距離下方に導く長さで形成されている。従って、この排水口から虫が侵入しようとしても、この排水口の下方は所定距離の長さを有する狭い溝が形成された排水部品が設けられているので、侵入し難くすることができる。更に、外光が前記排水口（網戸の下方に位置する下枠部分に形成された排水口）を通して室内に入ること（光漏れ）を無くすこともできる。
【発明を実施するための最良の形態】
【０００８】
本発明の一実施形態に係るサッシ窓の下枠の排水構造について図面を参照して説明する。
図１は、本実施形態に係る引違い窓枠の縦断面図、図２はその下枠部分の拡大図である。
引違い窓枠は、図示のように、下枠１０、上枠４０及び左右の縦枠（図示せず）で構成され、この引違い窓枠内には網戸５０、外障子６０ａ、内障子６０ｂがそれぞれ摺動自在に取り付けられている。
【０００９】
下枠１０は、図２に示すように、室外側下枠ベース部材１１と室内側下枠ベース部材１２、及び両下枠ベース部材１１，１２間に介在させた断熱部材１３とからなる断熱枠で構成されている。
各下枠ベース部材１１、１２には、それぞれ内外障子の戸車が走行するレール１４ａ、１４ｂが形成されている。
【００１０】
ここで、室外側下枠ベース部材１１は、そのレール１４ａの外側部分に、網戸レール１６ａと、この網戸レール１６ａとレール１４ａを繋ぐ底面１６ｂ（網戸支持用レールに最も近い障子支持用レールの下端部分と、網戸支持用レールの下端部分とにわたって形成された底面）とからなる網戸下枠１６が設けられている。また、この網戸下枠底面１６ｂの網戸レール１６ａに接して又はその近傍に排水口１６ｃ（網戸支持用レールに最も近い障子支持用レールよりも見込み方向室外側に浸入した水を下枠外に排水する室外側排水口）が設けられている。網戸下枠１６の室内側下部は縦壁１１ａに続き、中空部１７ａと１７ｂが上下に図示のように連設されている。上部中空部１７ａの室内側壁部の上部には、断熱材１３を挿入するための凹部１７ａ（１）が室内側に向かって開口して設けられている。また、上部中空部１７ａの上面１７ａ（２）は室内側から室外側に向かって下降するように傾斜が付されている。
【００１１】
室内側下枠ベース部材１２は、その室外側にレール１４ｂが形成されており、レール１４ｂの下側に中空部１７ｃが形成されている。他方、室内側下枠ベース部材１２の室内側上端部は、窓台１８の室外側端部の溝状係合部１８ａに係合する係止片１２ｂが設けられている。
【００１２】
室外側下枠ベース部材１１のレール１４ａと室内側下枠ベース部材１２のレール１４ｂの間には、室外側及び室内側端部に沿って支持脚部１５ａ（１）及び１５ａ（２）を持ち、室内側から室外側に向かって下降するよう傾斜した室外側カバー片１５ａが、前記上部中空部１７ａの傾斜した上面１７ａ（２）との間に間隔を隔てて配置されている。また、前記レール１４ｂと前記係止片１２ｂとの間にも、同様に室外側及び室内側端部に沿って支持脚部１５ｂ（１）と１５ｂ（２）を持ち、室内側から室外側に向かって下降するよう傾斜した室内側カバー片１５ｂが、前記上部中空部１７ｃの段付上面との間に間隔を隔てて配置されている。
ここで、室外側カバー片１５ａの室外側端部とレール１４ａとの間及び室内側カバー片１５ｂの室外側端部とレール１４ｂとの間には、室外側カバー片１５ａ及び室内側カバー片１５ｂ上を流下してきた雨水などが流入する隙間１９ａ、１９ｂが前記カバー片１５ａ、１５ｂの長手方向に沿って設けられている。
【００１３】
室外側下枠ベース部材１１のレール１４ａの基端部と前記上部中空部１７ａの上面室外側端部をつなぐ縦壁１１ａと、室外側カバー片１５ａの室外側支持脚部１５ａ（１）との間の隙間は、この室外側カバー片１５ａ上を流下する雨水や水滴を後述の排水部品２０に導く排水路となっており、かつ前記縦壁１１ａには排水部品２０の取付部となる後述する取付片２２（図３）が挿入される略矩形の挿入口１１ｂ（網戸支持用レールに最も近い障子支持用レールよりも見込み方向室内側に浸入した水を下枠外に排水する室内側排水口）が形成されている。
従って、障子表面に当たった雨水や、障子から落下した水滴などは、室外側及び室内側カバー片１５ａ、１５ｂ上に落下し、各レール１４ａ、１４ｂに設けた図示しない排水口を通して前記挿入口１１ｂに達し、前記雨水などはこの挿入口１１ｂを及び排水部品２０を通して外部（下枠外）に排出される。
【００１４】
なお、以上で説明した下枠は一例であって、下枠に室内側排水口（即ち、障子支持用レールよりも見込み方向室内側に浸入した水または網戸支持用レールに最も近い障子支持用レールよりも見込み方向室内側に浸入した水を下枠外に排水する室内側排水口）と、室外側排水口（即ち、障子支持用レールよりも見込み方向室外側に浸入した水または網戸支持用レールに最も近い障子支持用レールよりも見込み方向室外側に浸入した水を下枠外に排水する室外側排水口）、とが形成されていれば以上で説明した具体的構成に限定されず、下枠自体の構造は従来知られた他の形態のものであってもよいことは勿論である。
【００１５】
次に図面を参照して排水部品２０について説明する。
図３は、排水部品２０の斜視図であり、図４はその正面図、図５はその側面図、図６は上面図、図７Ａ、７Ｂは、それぞれ図４の矢視Ａ−Ａ、Ｂ−Ｂにおける断面図である。
排水部品２０は、図３に示すように、全体が略矩形の箱状をなし、その上面２１は前記網戸下枠１６の下面に当接する複数、例えば二条の突条（リブ）２１ａ、２１ａを備えた取付面からなり、かつその室内側となる後面には前記挿入口１１ｂに挿入するための取付片２２が突設されている。
【００１６】
図４は、排水部品２０の正面図であり、略コ字状の前壁２３の両側部間に逆止弁３０の止水用板状部材である板状体３１が配置されている。
図５は側面図であり、図示のように取付片２２が上端やや下方に突出して形成されている。図６の上面図から明らかなように、取付片２２の両側面は楔型の係止部２２ａが形成されており、排水部品２０を窓枠の排水口１１ｂに装着したとき、前記係止部２２ａが排水口１１ｂの端部に係合して引き抜く方向の力に対してある程度抜け止め規制できるようになっている。
【００１７】
排水部品２０の室外側には、例えば図７Ａに示すように、両側部を残して中央部を前端上端部から所定の長さ部分を残して切り欠いた形状の前壁２３が配置されており、前記上面２１には網戸下枠１６の排水口１６ｃに連通する開口２４と、この開口２４から下方に向かって垂下壁２５が垂下している。この垂下壁２５の下端は、前壁２３の中央部の残存部分下端と同じ高さまで垂下している。前壁２３と垂下壁２５間には前記網戸下枠の排水口１６ｃから流下した水を下枠外へ案内する下向きの防虫排水溝２６が形成されている。
そして、図６に示すように、前壁２３と垂下壁２５とにわたって仕切壁２４ａが形成されており、防虫排水溝２６はこの仕切壁２４ａによって複数に分割されている。
【００１８】
前記垂下壁２５の下端は室内側に直角に折曲して水平な壁面２５ａとなり、この水平な壁面２５ａと上面２１との間で室内側を向いた凹部２７を形成し、雨水などが下枠の縦壁１１ａのレール面側（見込み方向室内側）から勢いよく侵入した場合は、この凹部２７の底面２７ａに当たって跳ね返り、その下側の排水溝２８（逆止弁付き排水溝）から後述する逆止弁３０を通して下枠外に排出される。
なお、排水部品２０の後面下側には、前記取付片２２を前記挿入口１１ｂに挿入して窓の下枠に取り付けたとき、排水部品２０の排水溝２８の下端部分を形成するための壁２９が形成されている。
【００１９】
逆止弁３０は、前記垂下壁２５の屈曲した水平壁面２５ａの下側に配置される板状体３１からなり、その板状体３１の上端部にはヒンジとなる旋回部３２を有し、この旋回部３２を排水部品２０の両側壁２０ａ間に形成された支持部に旋回自在に支持し、それによって、板状体３１は自重で垂下した状態から室外側方向へのみ自由に開閉できるように取り付けられている。
他方、前記板状体３１は、室外側から力を受けると排水部品２０の内側側壁部分（図示せず）及び前記壁２９の室外側端部に当接して排水溝２８を封止するため、室外側からの風などは下枠の排水溝２８を通して室内側に吹き込むことがない。
なお、図７Ｂは、排水部品２０の幅方向中央部で、前記の矢視Ｂ−Ｂ方向にみた断面図であるが、前記凹部２７は、隔壁２７ｂにより区画されている。
【００２０】
前記逆止弁３０の板状体３１の室外側には複数の突条片３１ａが縦方向に等間隔に配置されている。この突条片３１ａは、室内側から排水溝２８に水が流入する等して、板状体３１が大きく揺動して前記水平壁面２５ａの下端面に貼り付くのを防止する作用も同時に果たすことができる。
即ち、板状体３１に前記突条片３１ａが設けられておらずその外面が平坦であると、板状体３１が揺動してその表面が前記水平壁面２５ａの下端面に一旦当接すると前記水平壁面２５ａの下側に貼り付くことがあり、その場合には室外から室内に向かって空気が自由に流通し、雨水や外気が室内に侵入することになる。
【００２１】
排水部品２０の室外端側には、上述のように網戸下枠１６の底面１６ｂに形成された排水口１６ｃに連通した防虫排水溝２６が形成されており、この防虫排水溝２６の垂直長さを長くすることにより、虫が防虫排水溝２６を通って排水口１６ｃから網戸下枠内（網戸下枠上面側）に侵入し難くなるという利点もある。また、夜間室内の照明を暗くした場合、前記排水部品２０を設けないと網戸下枠の底面１６ｂに設けた排水口１６ｃから外光が入り、その部分が室内からは光って見えるが、防虫排水溝２６の垂直長さを長くすることによりその煩わしさをなくすことができる。
また、前壁２３と垂下壁２５とにわたって仕切壁２４ａが形成されており、防虫排水溝２６はこの仕切壁２４ａによって複数に分割されているため、分割されてできた各溝の大きさ小さくすることができるので、虫がより下枠内（下枠上面側）へ侵入し難くなる。
【００２２】
前記排水部品２０は、例えば合成樹脂で形成することができるが、勿論金属その他の材料であってもよい。また、前記排水部品２０は、窓下枠の排水口に容易に装着できるほか、着脱が容易に行えるから故障した場合などの取り替えも容易である。
【図面の簡単な説明】
【００２３】
【図１】本発明の実施形態に係るサッシ窓の縦断面図である。
【図２】図１に示すサッシ窓の下枠の拡大縦断面図である。
【図３】排水部品の斜視図である。
【図４】排水部品のその正面図である。
【図５】排水部品の側面図である。
【図６】排水部品の上面図である。
【図７】図７Ａ、７Ｂは排水部品のそれぞれ矢視Ａ−Ａ、Ｂ−Ｂにおける断面図である。
【符号の説明】
【００２４】
１０・・・下枠、１１、１２・・・室内側、室外側下枠ベース部材、１３・・・断熱部材、１４ａ、１４ｂ・・・室内側、室外側レール、１５ａ、１５ｂ・・・室外側、室内側カバー片、１６・・・網戸下枠、１６ｃ・・・網戸下枠の排水口、２０・・・排水部品、２２・・・取付片、２４ａ・・・仕切壁、２６・・・防虫排水溝、２８・・・排水溝（逆止弁付き排水溝）、３０・・・逆止弁、３１・・・板状体、３１ａ・・・突条片。
【図１】
2007170142.tif 000003
【図２】
2007170142.tif 000004
【図３】
2007170142.tif 000005
【図４】
2007170142.tif 000006
【図５】
2007170142.tif 000007
【図６】
2007170142.tif 000008
【図７】
2007170142.tif 000009